(57)【要約】【課題】  野外の広範囲に及ぶエリア内にあって、検索対象者の動向を把握する事が出来る安価な位置情報検索システムを得る。【解決手段】  検索対象者２０が携帯する非接触アクティブ型ＩＣタグ２１と、この非接触アクティブ型ＩＣタグ２１の情報を読み取る固定式ＩＣタグリーダー１と、この固定式ＩＣタグリーダー１が読みとる事が困難なエリアをカバーするためのＩＣタグリーダー１２と位置情報を測位するＧＰＳ受信機１１を備えた位置情報取得装置１０を有する移動体と、固定式ＩＣタグリーダー１と位置情報取得装置１０のデータを、蓄積するシステムサーバー３０を備えたことを特徴とするＩＣタグリーダーとＧＰＳを併用したＩＣタグ位置情報取得システムを備える。【選択図】図１
2008157902.tif 000002
【特許請求の範囲】
【請求項１】
検索対象者が携帯するＩＣタグと、このＩＣタグの情報を読み取る固定式ＩＣタグリーダーと、この固定式ＩＣタグリーダーが読み取る事が出来ないエリアをカバーするためのＩＣタグリーダーと位置情報を測位するＧＰＳとを有する位置情報取得装置と、上記固定式ＩＣタグリーダーと上記位置情報取得装置のデータを蓄積するシステムサーバーとを備えたことを特徴とするＩＣタグリーダーとＧＰＳを併用したＩＣタグ位置情報取得システム。
【発明の詳細な説明】
【技術分野】
【０００１】  本システムは、野外の広範囲を移動する検索対象者の位置情報を把握するための位置情報取得システムに関するものである。
【背景技術】
【０００２】  従来のＩＣタグによる位置情報取得システムは、地下や建物内及び市街地内等の特定の各要所に設置する事で、位置情報の取得が難しいＧＰＳなどよりも精度の高い位置情報の取得ができ、安価なＩＣタグを使用する事で低価格でのインフラ整備も可能とした。（特許文献１参照）
【特許文献１】  特開２００６−２１７５５６号公報（第２頁、第４頁、図１）
【発明の開示】
【発明が解決しようとする課題】
【０００３】  上記のようなＩＣタグによる位置情報取得システムは、限定されたエリア内の位置情報しか取得できず、野外の広範囲に及ぶ位置情報の取得は不可能という問題点があった。また、ＩＣタグ及びＩＣタグリーダーは、どちらかを固定しないと位置情報の把握は非常に困難であり、さらに、野外の広範囲を移動するＩＣタグの情報を取得するためのインフラ整備は、ＩＣタグが低価格とはいえ、数十メートル間隔での設置を考慮しても半径数十キロのエリアへの設置は、コスト高になるという問題があった。【０００４】  本発明は、上述のような問題点を解決するためになされたもので、野外の広範囲に及ぶ位置情報取得が可能であると共に、安価な位置情報取得システムを得る事を目的にする。
【課題を解決するための手段】
【０００５】  このＩＣタグリーダーとＧＰＳを併用したＩＣタグ位置情報取得システムは、検索対象者が携帯するＩＣタグと、このＩＣタグの情報を読み取る固定式ＩＣタグリーダーと、この固定式ＩＣタグリーダーが読み取る事が出来ないエリアをカバーするためのＩＣタグリーダーと位置情報を測位するＧＰＳとを有する位置情報取得装置と、上記固定式ＩＣタグリーダーと上記位置情報取得装置のデータを蓄積するシステムサーバーを備えたものである。
【発明の効果】
【０００６】  本発明であるＩＣタグリーダーとＧＰＳを併用したＩＣタグ位置情報取得システムは、ＩＣタグとＩＣタグリーダーとＧＰＳとシステムサーバーとを用いた構成にしたので、移動体にＩＣタグリーダーとＧＰＳを有する位置情報取得装置を搭載することにより、野外の広範囲に及ぶ位置情報の取得が可能となる。また、固定式ＩＣタグリーダーの設置を少なくし、固定式ＩＣタグリーダーで読み取る事が出来ないエリアを位置情報取得装置でカバーする事により、安価なシステムとする事が出来る。さらに固定式ＩＣタグリーダーと位置情報取得装置を使用し、通過確認や位置情報の取得を必要とする状況での使用が可能となる。
【発明を実施するための最良の形態】
【０００７】  実施の形態１．
図１は、本発明の一実施の形態であるＩＣタグリーダーとＧＰＳを併用したＩＣタグ位置情報取得システムを示す構成図である。図２は、この発明の一実施の形態であるＩＣタグリーダーとＧＰＳを併用したＩＣタグ位置取得システムの位置情報の流れを示すブロック図である。図１及び図２において、１は施設等に設置する固定式ＩＣタグリーダーでありＩＣタグリーダー２で構成される。１０は車両等の移動体に搭載する位置情報取得装置であり、ＧＰＳ受信機１１とＩＣタグリーダー１２で構成される。２０はＩＣタグを携帯する検索対象者であり、非接触アクティブ型ＩＣタグ２１で構成される。３０は管理センター内に設置するシステムサーバーであり、タグ収集サーバー３１、データベースサーバー３２、ウェブサーバー３３、ＧＩＳ（地理情報システム）３４、閲覧ページ３５で構成される。４０は蓄積されたデータを閲覧する端末を示す。５０は検索者を示す。【０００８】  先ず、本システムの構築にあたり、一実施の形態として管理センター内にシステムサーバー３０を設置する。システムサーバー３０は、タグ収集サーバー３１とデータベースサーバー３２とウェブサーバー３３で構成する。タグ収集サーバー３１は、位置情報を取得するために使用する。データベースサーバー３２は、携帯電話通信網及びインターネット通信網を経由し集められた位置情報の蓄積管理に使用する。ウェブサーバー３３は、蓄積されたデータの送信及び閲覧のために使用する。通信手段として、携帯電話通信網とインターネット通信網を使用するにあたり、情報保護の観点からセキュリティ関連機器を設置しアクセス管理を行う。【０００９】  システムサーバー３０の設置後、ＧＩＳ（地理情報システム）３４との連携を行う。ウェブサーバー内にＧＩＳ３４専用のホームページをＨＴＭＬ形式で作成する。データベースサーバーより検索対象者の情報を取得し、ＧＩＳ３４上の位置情報とマッチングさせ、地図上にポイントとして表示をする。画面上の操作により、ポイントの位置情報を確認できるような仕様にし、さらに検索対象者の動向を検索できるようにもする。【００１０】  検索対象者２０へ非接触アクティブ型ＩＣタグ２１の貸与を行う。申込みについては、申込者は検索対象者２０ではなく検索対象者２０の情報を取得する検索者５０とし、検索対象者２０及び検索者５０本人を特定できる情報に加え、メールアドレス・緊急連絡先等の情報について提供してもらい、非接触アクティブ型ＩＣタグ２１を貸与する際、検索・閲覧用のＩＤとパスワードを付与する。【００１１】  固定式ＩＣタグリーダー１を施設等に設置する。設置する目安として、人口の密集している地域や検索対象者２０がよく利用する施設等を対象にし、移動体に搭載した位置情報取得装置１０との重複ができるだけ少ないように配置する。ＩＣタグリーダー２の位置情報は、あらかじめ測位したデータを付加する。【００１２】  検索対象者２０を読み取るために使用する位置情報取得装置１０を車両等の移動体に搭載する。ＧＰＳ受信機１１は位置情報を常に測位し、ＩＣタグリーダー１２が非接触アクティブ型ＩＣタグ２１を読み取った際、その読み取った情報とＧＰＳ受信機１１が測位した位置情報を付加し、携帯電話通信網��使って管理センターのシステムサーバー３０に送信する。もし、携帯電話通信の電波状態により通信不可能の場合を考慮し、位置情報取得装置にはデータを蓄積・管理する機能を付加する。また、特定の検索対象者に対してブザー等の信号を出す機能をつけ、捜索等に使用する。捜索の際はシステムセンターもしくはエリア内の管理者のみが検索対象者に対する捜索の設定をする事ができるようにする。【００１３】  上述のように構成されたＩＣタグリーダーとＧＰＳを併用したＩＣタグ位置情報取得システムにおいて、検索対象者の位置情報取得の方法について、図２に基づき説明する。検索対象者２０の位置情報を取得する方法として、非接触アクティブ型ＩＣタグ２１の電波は、固定式ＩＣタグリーダー１を設置した施設等において読み取る方法と移動体に搭載した位置情報取得装置１０で読み取る方法を採用する。固定式ＩＣタグリーダー１の場合、ＩＣタグリーダー２が読み取った非接触アクティブ型ＩＣタグ２１の情報にあらかじめ測位してある位置情報を付加し、車両等の移動体に搭載した位置情報取得装置１０の場合、ＩＣタグリーダー１２が読み取った非接触アクティブ型ＩＣタグ２１の情報に、ＧＰＳ受信機１１が測位した位置情報を付加し、システムサーバー３０に送信を行う。
なお、上述のようにＩＣタグリーダーとＧＰＳを併用したＩＣタグ位置情報取得システムでは、特定のポイントの通過確認等を行う場合には、移動体に搭載した位置情報取得装置１０を固定化する事で、固定式ＩＣタグリーダー１としても使用する事が出来る。さらに、移動体の機動力を生かし、行方不明者の捜索、公共交通機関の乗降車確認等にも使用できる。その汎用性において、あらゆる状況での検索対象者２０の動向を把握する事を可能とする。【００１４】  上述ように構成されたＩＣタグリーダーとＧＰＳを併用したＩＣタグ位置情報取得システムにおいて、検索者が検索対象者の位置情報を取得する方法について、図２に基づき説明する。検索者５０は、携帯電話通信網もしくはインターネット通信網を経由し、ウェブサーバー３３内にある閲覧ページにおいて、データベースサーバー３２に蓄積された検索対象者２０の位置情報の閲覧をすることができる。【００１５】  ＧＩＳ（地理情報システム）３４の使用を許可された者（管理者等）は、端末４０よりＧＩＳ３４に接続し、ＧＩＳ３４の機能を使用する事が出来る。ＧＩＳ３４は、データベースサーバー３２より特定の検索対象者２０の位置情報を取得し、ＧＩＳ３４上の地図情報とマッチングさせ、地図上にポイントとして表示をする。画面上の操作により、ポイントの位置情報を確認できるような仕様にし、さらに検索対象者２０の動向を検索できるようにもする。【００１６】  本発明のＩＣタグリーダーとＧＰＳを併用したＩＣタグ位置情報取得システムは、非接触アクティブ型ＩＣタグ２１と固定式ＩＣタグリーダー１と位置情報取得装置１０で構成されているので、広範囲を移動する検索対象者２０を固定式ＩＣタグリーダー１がカバーできないエリアを移動体に搭載した位置情報取得装置１０を使用することで、広範囲に及ぶ位置情報取得を可能にしている。また、移動体に位置情報取得装置１０を搭載する事で、固定式ＩＣタグリーダー２の数を少なくする事ができ、システムを安価に構成することが出来る。さらに、移動体に位置情報取得装置１０を搭載する事で、あらゆる場所での位置情報取得や乗降車確認等が可能になり、その汎用性がよくなる。
【図面の簡単な説明】
【００１７】
【図１】  この発明の一実施の形態であるＩＣタグリーダーとＧＰＳを併用したＩＣタグ位置情報取得システムを示す構成図である。
【図２】  この発明の一実施の形態であるＩＣタグリーダーとＧＰＳを併用したＩＣタグ位置取得システムの位置情報の流れを示すブロック図である。
【符号の説明】
【００１８】  １  固定式ＩＣタグリーダー、２  ＩＣタグリーダー、
１０  位置情報取得装置、１１  ＧＰＳ受信機、１２  ＩＣタグリーダー、
２０  移動体（検索対象者）、２１  非接触アクティブ型ＩＣタグ、
３０  システムサーバー、３１  タグ収集サーバー  ３２  データベースサーバー、
３３  ウェブサーバー、３４  ＧＩＳ、３５  閲覧ページ、４０  端末、５０  検索者
【図１】
2008157902.tif 000003
【図２】
2008157902.tif 000004